(57)【特許請求の範囲】
【請求項１】
ハウジングと、
ロータと、
第１の圧縮機セクションと、
第２の圧縮機セクションと、
前記ロータに接続され、前記第１の圧縮機セクションと前記第２の圧縮機セクションとの間に配置された第２のバランスドラムと、
を備え、
前記第１の圧縮機セクションが、
プロセスガスを前記第１の圧縮機セクションに供給するよう構成された第１の入口ダクトと、
加圧されたプロセスガスを前記第１の圧縮機セクションから外に供給するよう構成された第１の出口ダクトと、
前記第１の入口ダクトと前記第１の出口ダクトとの間で前記ロータに接続された少なくとも１つの第１のインペラと、
前記ロータに接続され、前記第１の入口ダクトと前記ロータとの間で少なくとも部分的に配置された第１のバランスドラムと、
を含み、
前記第２の圧縮機セクションが、
プロセスガスを前記第２の圧縮機セクションに供給するよう構成された第２の入口ダクトと、
加圧されたプロセスガスを前記第２の圧縮機セクションから外に供給するよう構成された第２の出口ダクトと、
前記第２の入口ダクトと前記第２の出口ダクトとの間で前記ロータに接続された少なくとも１つの第２のインペラと、
を含み、
前記第１の入口ダクトの第１の容積は前記第２の入口ダクトの第２の容積よりも大きく、
前記第２の出口ダクトと前記ロータとの間に配置されたバランスドラムを有しない、
多段圧縮機。
【請求項２】
前記ロータが一体型ロータである、請求項１に記載の多段圧縮機。
【請求項３】
前記ロータが、複数のセグメントから構成されるスタックロータである、請求項１に記載の多段圧縮機。
【請求項４】
前記複数のセグメントが共にボルト締結されたフランジを含む、請求項３に記載の多段圧縮機。
【請求項５】
前記フランジの１つが、前記第１のバランスドラムとして機能するよう構成される、請求項４に記載の多段圧縮機。
【請求項６】
前記ロータを回転可能に支持するため前記ロータの各端部にある少なくとも１つの軸受と、
前記少なくとも１つの軸受と、前記少なくとも１つの第１のインペラ及び前記少なくとも１つの第２のインペラのそれぞれとの間に配置された少なくとも１つの乾式ガスシールと、
を更に備える、請求項１から５のいずれかに記載の多段圧縮機。
【請求項７】
前記少なくとも１つの乾式ガスシールの各々が負圧圧力において作動する、請求項６に記載の多段圧縮機。
【請求項８】
前記第１の入口ダクトが、前記第１のバランスドラムを前記第１の入口ダクトと前記ロータとの間に配置可能に適合される、請求項１から７のいずれかにに記載の多段圧縮機。
【請求項９】
プロセスガスを前記第１の圧縮機セクションに供給するよう構成された第１の入口ダクトと、
加圧されたプロセスガスを前記第１の圧縮機セクションから外に供給するよう構成された第１の出口ダクトと、
を備える第１の圧縮機セクションを作製する段階と、
前記第１の入口ダクトと前記第１の出口ダクトとの間で少なくとも１つの第１のインペラをロータに接続する段階と、
第１の入口ダクトと前記ロータとの間で少なくとも部分的に配置された第１のバランスドラムを前記ロータに接続する段階と、
プロセスガスを前記第２の圧縮機セクションに供給するよう構成された第２の入口ダクトと、
加圧されたプロセスガスを前記第２の圧縮機セクションから外に供給するよう構成された第２の出口ダクトと、
を備える第２の圧縮機セクションを作製する段階と、
前記第２の入口ダクトと前記第２の出口ダクトとの間で少なくとも１つの第２のインペラを前記ロータに接続する段階と、
前記第１の圧縮機セクションと前記第２の圧縮機セクションとの間で第２のバランスドラムを前記ロータに接続する段階と、
を含み、
前記第１の入口ダクトの第１の容積は前記第２の入口ダクトの第２の容積よりも大きく、
前記第２の出口ダクトと前記ロータとの間に配置されたバランスドラムを有しない、
圧縮機を製造する方法。
【発明の詳細な説明】
【技術分野】
【０００１】
本明細書で開示される主題の実施形態は、全般的に、方法及びシステムに関し、圧縮機ロータをバランス調整するための機構及び技術に関する。
【背景技術】
【０００２】
圧縮機は、機械的エネルギーを使用することによって、例えばガスなどの加圧流体の圧力を増大させる機械である。圧縮機は、ガスタービンエンジンの最初の段としての作動を含む、幾つかの異なる用途で使用される。ガスタービンエンジン自体は、発電、天然ガス液化及び他のプロセスを含む、多くの産業プロセスで使用される。このようなプロセス及びプロセスプラントで使用される種々のタイプの圧縮機のうちの１つは、いわゆる遠心圧縮機であり、ここでは、機械的エネルギーは、例えば、ガスが通過する遠心インペラ又はロータを回転させることによりガス粒子を加速する遠心加速度を介して、圧縮機へのガス入力に作用する。
【０００３】
遠心圧縮機は、単一のインペラ又は段、すなわち単一段構成を備え、或いは、複数の段を直列に備えることができ、この場合、これらは多段圧縮機と呼ばれることが多い。また、多段圧縮機の特定のサブ系列には、圧縮機流の全体が圧縮機から抽出されて冷却され、次いで圧縮機に再注入されるように構成された多セクション多段圧縮機が含まれる。
【０００４】
ほとんどの場合、この多段圧縮機のサブ系列のセクション数は２つに制限され、この２つのセクションは、第１のセクションのインペラに対する第２のセクションのインペラの相対的向きに応じて、インライン構成か又は逆並列構成の何れかで配列することができる。
【０００５】
遠心圧縮機の段の各々は典型的には、加圧されることになるガスの入口導管と、入力ガスに運動エネルギーを提供することができるインペラ又はホイールと、ステータと呼ばれ、ロータから出るガスの運動エネルギーを圧力エネルギーに変換する出口システムとを含む。複数のステータ構成要素の構成を用いることができ、最も一般的なものは、ベーン無しディフューザ、ベーン付きディフューザ戻りチャンネル、吐出スクロール又はプレナム、或いはこれらの構成の組み合わせである。個々のインペラ及びその関連するステータ構成要素の組み合わせは典型的には、段と呼ばれる。
【０００６】
多段遠心圧縮機は、段にわたる差圧及び水平方向から垂直方向に転回するガスの運動量の変化によって引き起こされるロータ上の軸方向スラストに曝される。この軸方向スラストは、通常、バランスピストン及び軸方向スラスト軸受により補償される。軸方向スラスト軸受は、ロータのスラスト全体によって装荷することができないので、バランスピストンは、スラストの大部分について補償するよう設計され、何らかの残りの残留スラストの処理を軸受に任せるようにする。バランスピストンは通常、圧縮機シャフトに取り付けられる回転ディスク又はドラムとして実装され、バランスディスク又はドラムの各側部が作動中に異なる圧力に曝されるようになる。バランスピストンの直径は、残留負荷が軸方向軸受に過負荷を加えるのを避けるための望ましい軸方向負荷を有するように選択される。従来のオイル潤滑式軸受は、典型的には、異常（例えば、サージング）条件中に生じることが見込まれる最大残留軸方向スラストのおよそ４倍の軸方向スラスト力に耐えるよう設計されている。
【０００７】
しかしながら、圧縮機作動中のガスの条件が変化したとき、又は圧縮機が不作動であるが加圧されているときには、単一のバランスピストンにより与えられる補償は、軸受の過負荷を避けるのには不十分な可能性がある。全ての多段圧縮機は、通常、圧縮機の１つのセクションに関しては圧力が一定／均一であるが、あるセクションと別のセクションとでは異なる可能性があるような過渡的状況（場合によっては、「過渡的な調定圧力」とも呼ばれることがある）の下でバランス調整を可能にする圧縮セクションが存在するのと同じ数のバランスドラムを備える。
【０００８】
従って、例えば、逆並列遠心圧縮機では、第２のバランスピストンは、典型的には、圧縮機の逆並列セクション間に設けられ、２つの圧縮機セクションにより共用されるロータに沿った軸方向スラストの追加の補償を可能にする。しかしながら、第２のバランスピストンを設けることには、圧縮機の軸方向長さが全体として増大するという欠点があり、このことは、圧縮機の軸方向長さが全体として大きくなることで装置の安全性を損ない、及び／又は単一の装置に一体化される可能性がある圧縮機段の数が少なくなるので不利である。
【０００９】
従って、既存のバランス調整システムの上述の欠点に対処した、このような圧縮機における動的スラストのバランス調整のための方法及びシステムを設計し提供することが望ましいことになる。
【発明の概要】
【課題を解決するための手段】
【００１０】
例示的な実施形態によれば、逆並列圧縮機は、ハウジングと、ロータと、第１の圧縮機セクションと、を備え、該第１の圧縮機セクションが、プロセスガスを第１の圧縮機セクションに供給するよう構成された第１の入口ダクトと、加圧されたプロセスガスを第１の圧縮機セクションから外に供給するよう構成された第１の出口ダクトと、第１の入口ダクトと第１の出口ダクトとの間でロータに接続された少なくとも１つのインペラと、ロータに接続され且つ第１の入口ダクトとロータとの間で少なくとも部分的に配置された第１のバランスドラムと、を含み、逆並列圧縮機が更に、第２の圧縮機セクションを備え、該第２の圧縮機セクションが、プロセスガスを第２の圧縮機セクションに供給するよう構成された第２の入口ダクトと、加圧されたプロセスガスを第２の圧縮機セクションから外に供給するよう構成された第２の出口ダクトと、第２の入口ダクトと第２の出口ダクトとの間でロータに接続された少なくとも１つのインペラと、ロータに接続され且つ第１の圧縮機セクションと第２の圧縮機セクションとの間に配置された第２のバランスドラムと、を含み、第１の入口ダクトの第１の容積は第２の入口ダクトの第２の容積よりも大きい。
【００１１】
本発明の別の例示的な実施形態によれば、圧縮機を製造する方法は、第１の圧縮機セクションを作製する段階を含み、該第１の圧縮機セクションが、プロセスガスを第１の圧縮機セクションに供給するよう構成された第１の入口ダクトと、加圧されたプロセスガスを第１の圧縮機セクションから外に供給するよう構成された第１の出口ダクトと、を備え、本方法が更に、第１の入口ダクトと第１の出口ダクトとの間で少なくとも１つの第１のインペラをロータに接続する段階と、第１の入口ダクトとロータとの間で少なくとも部分的に配置された第１のバランスドラムをロータに接続する段階と、第２の圧縮機セクションを作製する段階と、を含み、該第２の圧縮機セクションが、プロセスガスを第２の圧縮機セクションに供給するよう構成された第２の入口ダクトと、加圧されたプロセスガスを第２の圧縮機セクションから外に供給するよう構成された第２の出口ダクトと、を備え、第１の入口ダクトの第１の容積は第２の入口ダクトの第２の容積よりも大きく、本方法が更に、第２の入口ダクトと第２の出口ダクトとの間で少なくとも１つの第２のインペラをロータに接続する段階と、第１の圧縮機セクションと第２の圧縮機セクションとの間で第２のバランスドラムをロータに接続する段階と、を含む。
【００１２】
本発明の更に別の例示的な実施形態によれば、回転機械は、回転機械の要素を収容するよう構成されたハウジングと、回転機械の要素の少なくとも一部を回転させるよう構成されたロータと、回転機械にプロセスガスを供給するよう構成された入口ダクトと、回転機械から加圧されたプロセスガスを供給するよう構成された出口ダクトと、入口ダクトと出口ダクトとの間でロータに接続され、且つプロセスガスを加圧するよう構成された少なくとも１つのインペラと、ロータに接続され、入口ダクトとロータとの間で少なくとも部分的に配置され、且つ軸方向スラストをバランス調整するよう構成されたバランスドラムと、を含む。
【００１３】
本明細書に組み込まれ且つその一部を構成する添付図面は、１つ又はそれ以上の実施形態を例証しており、本明細書と共にこれらの実施形態を説明する。
【図面の簡単な説明】
【００１４】
【図１】圧縮機の概略図。
【図２】圧縮機に関連する軸方向スラストを示す図。
【図３】従来の逆並列圧縮機の部分切り欠き図。
【図４】例示的な実施形態による、再配置されたバランスドラムを有する逆並列圧縮機の部分切り欠き図。
【図５】例示的な実施形態による、バランスドラムの再配置とバランスドラムが配置される第１の入口ダクトの適合を示す図。
【図６】例示的な実施形態に従って使用できるボルト締めロータ構成の図。
【図７】例示的な実施形態による、ボルト締めロータ構成を用いた圧縮機における再配置バランスドラムを示す図。
【図８】例示的な実施形態による、圧縮機を製造するための方法を例示するフローチャート。
【図９（ａ）】従来のインライン圧縮機の１つの段を示す図。
【図９（ｂ）】例示的な実施形態による、インライン圧縮機の１つの段を示す図。
【発明を実施するための形態】
【００１５】
例示的な実施形態の以下の説明では添付図面を参照する。異なる図面における同じ参照符号は同じ又は同様の要素とみなしている。以下の詳細な説明は本発明を限定するものではない。代わりに、本発明の範囲は、添付の請求項によって定義される。以下の実施形態は、簡単にするために、多段遠心圧縮機の用語及び構造に関して検討される。しかしながら、次に検討されることになる実施形態は、この圧縮機に限定されず、他のタイプの圧縮機、タービン、ポンプ、その他にも適用することができる。
【００１６】
本明細書を通して「一実施形態」又は「実施形態」として言及することは、実施形態に関連して説明される具体的な特徴、構造、又は特性が、開示される主題の少なくとも一つの実施形態に含まれることを意味する。従って、本明細書全体を通じて様々な箇所で表現「１つの実施形態では」又は「ある実施形態では」が出現するが、必ずしも同じ実施形態について言及している訳ではない。更に、具体的な特徴、構造、又は特性は、１つ又はそれ以上の実施形態においてあらゆる好適な様態で組み合わせてもよい。
【００１７】
これらの例示的な実施形態によるスラストバランス調整システムに関する後続の検討において一部の関連状況を提供するために、図１は、多段遠心圧縮機１０を概略的に示している。ここでは、圧縮機１０は、複数の遠心インペラ１６を備える回転圧縮機シャフト１４が内部に装着されたボックス又はハウジング（ステータ）を含む。ロータ組立体１８は、シャフト１４及びインペラ１６を含み、ロータ組立体１８の何れかの側部上に配置される軸受２０を通じて半径方向及び軸方向に支持される。
【００１８】
多段遠心圧縮機は、入口ダクト２２から入力プロセスガスを受け取り、ロータ組立体１８の作動によってプロセスガスの圧力を増大させ、続いて該プロセスガスを入力圧力よりも高い出力圧力で出口ダクト２４を通じて放出するよう機能する。プロセスガスは、例えば、二酸化炭素、硫化水素、ブタン、メタン、エタン、プロパン、液化天然ガス、又はこれらの組み合わせのうちの何れかとすることができる。ロータ１６と軸受２０との間には、軸受２０へのプロセスガスの流れを阻止するためにシールシステム２６が設けられる。ハウジング１２は、遠心圧縮機１０からのガスの漏れを防ぐために軸受２０及びシールシステム２６の両方を覆うように構成される。軸受２０は、オイル潤滑式軸受又は能動型磁気軸受の何れかとして実施することができる。軸受２０として能動型磁気軸受が使用される場合、シール聞こう２６は省略することができる。
【００１９】
遠心圧縮機１０はまた、前述のバランスピストン（ドラム）２８と、その対応するラビリンスシール３０とを含む。バランスライン３２は、入口ダクト２２を介して流入するプロセスガスと同じ（又は実質的に同じ）圧力で外寄り側のバランスチャンバ３４内の圧力を維持する。
【００２０】
また、図１に示す種々の要素は、図２を検討することにより遠心圧縮機における軸方向荷重に一般に関連付けられるので、これらの要素の相互作用を説明することは有用である。ここで、遠心圧縮機１０の作動に関連する種々の軸方向荷重力は、概念的に例証される。図２に示すように、インペラ１６は、例えば、段間の差違、ガス運動量の変化、その他に起因して圧縮機１０の内寄り（低圧）側の方向で軸受２０に軸方向荷重（力）を加える。図２には示されていないが、圧縮機シャフト１８を回転させるモータは、反対方向で、すなわち、圧縮機１０の外寄り（高圧）側に向かって軸方向荷重（実質的に一定の）を加える。インペラ１６の残りの軸方向荷重を打ち消すために、バランスドラム２８は、外寄り方向の軸方向力を加えるように設計され、その大きさは、インペラの予想される軸方向荷重からモータの軸方向荷重を差し引いたものである。これは、例えば、バランスドラム２８の内寄り側上のプロセスガスの圧力Ｐｕがバランスドラム２８の外寄り側上のプロセスガスの圧力Ｐｅよりも大きいように、システムを設計することによって、及び所望のバランス力を生成するよう適切なサイズ（直径）のバランスドラムを選択することによって達成される。圧力の不均衡は、バランスチャンバの圧力がインペラ１６の内寄り側と実質的に同じであるように、バランスチャンバ３４と入口ダクト２２に関連する主吸込みラインとの間にバランスライン３２を設けることにより生成され維持される。
【００２１】
上記で例示し検討した構成は、いわゆる「直線状」圧縮機構成を伴い、ここではプロセス又は作動ガスは、ハウジング１２の一方端で入口ダクト２２を介して流入し、ハウジング１２の他端部で出口ダクト２４を介して流出する。しかしながら、背景技術の段落で述べたように、利用される場合がある別の圧縮機構成は、２つの実質的に独立した圧縮機が単一のロータ１８を共用する、いわゆる「逆並列」圧縮機構成であり、その実施例が図３に示される。この場合、圧縮機の中央付近に入口ダクト３８及び出口ダクト４０を有する第１の圧縮機セクションを含む逆並列圧縮機３３の内側機構を明瞭にするため、ハウジング３４の上半部分が切り取られている。第１のセクションにおける入口ダクト３８と出口ダクト４０との間には、上述のように作動ガスを加圧するよう機能する３つのインペラ段４２、４４、及び４６がある。同様に、第２の圧縮機セクション４８は、入口ダクト５０と出口ダクト５２とを有し、該出口ダクトはまた、圧縮機３３の中央部に近接し、３つのインペラ５６、６０、及びこれらの間に関連付けられる５８を有する。典型的には、入口ダクト５０は、流れが冷却された後に第１のセクション３６の出口ダクト４０に接続され、ガスの圧縮プロセスが第２のセクションの出口ダクト５２まで継続する。
【００２２】
直線状単一セクション圧縮機１０とは異なり、逆並列圧縮機３３は、同じ直径（又は実質的に同じ）の２つのバランスピストン又はドラムを有し、バランス調整されたロータ６２を提供する。このことは、少なくとも１つには、特に圧縮機３３が停止又はスタンバイモードであるときに、２つの圧縮機セクション３６及び４８がこれらに付随する異なる差圧を有していることに起因する。第１のバランスピストン又はドラム６４は、第２の圧縮機セクションの入口ダクト５０の下に配置され、第２のバランスピストン又はドラム６６は、第１の圧縮機セクション３６と第２の圧縮機セクション４８との間の圧縮機３３の中央に配置される。作動時には、バランスドラム６４は、その表面の一方では、第２の圧縮機セクション４８の負圧を受け、バランスドラム６４の他の面は、該面がバランスラインと呼ばれる外部パイプを介して第１のセクション入口３８に接続されていることに起因して、第１の圧縮機セクション３６の負圧を受けることになる。第１及び第２のバランスドラム６４、６６の両方がロータ６２と共に回転する。背景技術の段落で述べたように、逆並列構成におけるこの第２のバランスピストン又はドラムの追加によって、圧縮機３３の軸方向長さが増大し、これは一般に望ましいことではない。
【００２３】
第１のバランスピストン６４はまた、圧縮機３３の軸方向長さの増大の一因となる。例えば、インペラ５８及び６０間の距離に関連するスパンの軸方向長さをＬ１に設計されている場合、インペラ６０と第１のバランスピストン６４との間の標準的距離Ｌ２は、典型的にはＬ１のおよそ１．５から２倍である。従って、バランスピストン又はドラム６４、６６に関連する軸方向長さの量が低減された新規の構成を考慮することが望ましいことになる。
【００２４】
例示的な実施形態によれば、これは、例えば、第１のバランスピストン又はドラム６４を図３に示す第２の入口ダクト５０に近接した標準的位置から、図４に示す第１の入口ダクト３８に近接した新しい位置に移動させることによって達成することができる。図４では、例示的な実施形態による逆並列圧縮機８０が例示され、ここでは図３に関して上記で説明された同じ又は同様の要素を説明するために、同じ参照符号が使用されている。しかしながら、第１のバランスドラム８２はここでは第１の入口ダクト３８よりも下方に存在し（第２の入口ダクト５０の下方から移動している）、第１のバランスドラム８２がここでは第１の入口ダクト３８とロータ６２との間に配置されるようになっていることは理解されるであろう。第１の入口ダクト３８は、第２の入口ダクト５０よりも大きな容積を有する点で該第２の入口ダクト５０と区別することができる。加えて、ロータ６２を回転させるモータ（図示せず）は、典型的には回転機械８０の第２のセクションの側部に位置付けられる。第２のバランスドラム６６は、依然として第１及び第２の圧縮機セクション間に配置される。
【００２５】
第２のバランスドラムを位置決めし直すことによって、ロータ６２の全体の軸方向長さが低減される。例えば、第２のバランスドラムを図３に示す位置から図４に示す位置に移動させることによって、第２のバランスドラムの軸方向長さの約２／３を節減できると推測される。純粋に例示的な実施例として、これは、軸方向長さ１５１５ｍｍを有するロータ６２上で約４０ｍｍに等しく（軸方向長さのうちの６０ｍｍを要するバランスドラムにおいて）、これにより圧縮機の安全性が向上し、更に、圧縮機の全体の軸方向サイズが縮小するか、或いは他の要素が軸方向スペースを利用可能になる。
【００２６】
図５で分かるように、図４の例示的な実施形態と図３のバランスドラム構成との間の別の相違点は、バランスドラム８２の外側側部はバランスライン９０を介して第２の入口ダクト５０の負圧（圧力）に接続され、ドラム６４の外側側部は、第１の入口ダクト３８の負圧（圧力）に接続される。これは、例示的な実施形態によれば、ロータ６２の両端部上に配置された乾式ガスシール２６の両方が、従来構成のように第１の入口ダクト３８の負圧ではなく、第２の入口ダクト５０の負圧で作動することを意味している。乾式ガスシールは、第２の入口ダクト５０の高い圧力で作動するので、この特徴は、例えば大気圧又はより低い圧力（すなわち第１の入口３８）で作動する第１の圧縮機セクションを有する圧縮機において有利であり、或いは、第２のセクション４８の負圧入口５０にて極めて高い圧力で作動する圧縮機の場合には不利とすることができる。図５にはまた、図中に「Ｘ」で表記された第２の入口ダクトに近接したスペースから第１のバランスドラムを移動させ、これに応じて図中に矢印で表記される軸方向スペース利用の削減が示されており、更に、圧縮機の第１のセクションの入口ダクト９２は、バランスドラム８２を圧縮機のこの側部上に配置できるような形状にされ、或いは構成されていることが理解できる。
【００２７】
図４及び５の例示的な実施形態に関して上記で示したように、一部の逆並列遠心圧縮機は、一体的、すなわち単一構成のロータを利用している。しかしながら、別の例示的な実施形態によれば、圧縮機のような機械のロータは、複数の要素を含むことができ、その実施例が図６に示される。この場合、中実の第１のロータ部品１６０は、第１のインペラ１４４に取り付けられるよう構成される。中実の第１のロータ部品１６０と第１のインペラ１４４との間の接合部１６２は、該中実の第１のロータ部品１６０と第１のインペラ１４４との間の接続を達成するための種々の要素を含むことができる。例えば、図６に示すように、接合部１６２は、第１のロータ部品１６０に取り付けられるフランジ１６４と、第１のインペラ１４４に取り付けられるフランジ１６６とを含むことができる。フランジ１６４及び１６６は、互いに取り付けられるように構成される。例示的な実施形態によれば、フランジ１６４及び１６６は、１つ又はそれ以上の孔１６８及び１７０を有し、ここに１つ又はそれ以上のボルト１７２が提供される。ボルト１７２は、フランジ１６６の孔１７０内部の対応するネジ付き領域にネジ止めされるネジ付き領域を有することができる。ボルト１７２の端部１７４は、例えば、孔１６８の第１の部分により大きな直径でドリル加工することにより、孔１６８で完全に収容することができる。或いは、ボルト１７２の端部１７４は、フランジ１６４の外側にあってもよい。
【００２８】
このボルト締結のフランジ構成を有するいわゆるスタック式ロータを利用すると、バランスドラム２００のうちの１つはまた、図４及び５に関して説明され、図７に示されるようにして第１の入口ダクト２０２に近接して装着することができる。この場合、接続フランジ２０４は、バランスドラム２００と第１の入口ダクト２０２との間に配置されることは理解できる。例示的な実施形態によれば、フランジ１６４、１６６、２０２のうちの１つは、第１の入口ダクト３８、９２の下に配置されたバランスドラムとして機能するよう構成する（例えば、バランスドラム６６の直径と同じ又は実質的に同じ直径であるような寸法にされる）ことができる。
【００２９】
その上、例示的な実施形態は更に、例えば図８のフローチャートに示すように、このような逆並列圧縮機の製造方法を含む。この場合、逆並列圧縮機の製造方法は、第１の圧縮機セクションにプロセスガスを供給するよう構成された第１の入口ダクトと、第１の圧縮機セクションから外に加圧プロセスガスを供給するよう構成された第１の出口ダクトとを有する第１の圧縮機セクションを作製するステップ（ステップ８００）と、第１の入口ダクトと第１の出口ダクトとの間でロータに少なくとも１つの第１のインペラを接続するステップ（ステップ８０２）と、第１の入口ダクトと上記ロータとの間に少なくとも部分的に配置された第１のバランスドラムをロータに接続するステップ（ステップ８０４）とを含む。第２の圧縮機セクションにプロセスガスを供給するよう構成された第２の入口ダクトと、第２の圧縮機セクションから外に加圧プロセスガスを供給するよう構成された第２の出口ダクトとを含み、第１の出口ダクトの第１の負圧圧力が第２の入口ダクトの第２の負圧圧力よりも大きい第２の圧縮機セクションが作製される（ステップ８０６）。第２の入口ダクトと第２の出口ダクトとの間で少なくとも１つの第２のインペラがロータに接続される（ステップ８０８）。第２のバランスドラムがロータに接続され、第１の圧縮機セクションと第２の圧縮機セクションとの間に配置される（ステップ８１０）。図８に例示したステップは、必ずしも記載され説明した順序で実施する必要はない点は、当業者であれば理解されるであろう。
【００３０】
開示された例示的な実施形態は、例えば、逆並列圧縮機に関連するロータをバランス調整するシステム及び方法を提供する。本明細書は本発明を限定することを意図していない点は理解されたい。逆に、例示的な実施形態は、添付の請求項によって定義される本発明の技術的思想及び範囲に含まれる、代替形態、修正形態、及び均等形態を保護するものとする。例えば、本明細書で説明される反転バランスドラム方向と併せて、インライン構成も使用することができる。図９（ａ）は、バランスドラム９００がインペラ９０４の吐出側でロータ９０２上に配置された従来のインライン圧縮機の１つの段を示している。ここで乾式ガスシール９０６は、負圧圧力Ｐｓを備える。対照的に、図９（ｂ）に描いたインライン圧縮機の例示的な実施形態によれば、バランスドラム９１０は、インペラの徒手津川ではなく、ボルト締結フランジ構成９１２の一部としてインペラ９０４の入口又は負圧側面に移動される。図９（ｂ）の例示的な実施形態において、乾式ガスシールは、吐出圧力Ｐｄを備える。詳細には、図９（ｂ）の例示的な実施形態によるこのような構成は、低圧／低温圧縮機において望ましいとすることができる。図９（ｂ）は、１つの圧縮機のみを示しているが、１からｎ（ｎは任意の整数）個の段を設けることができる点は理解されるであろう。
【００３１】
更に、例示的な実施形態の詳細な説明において、請求項に記載された本発明を包括的に理解するために多数の具体的な詳細事項が記載されている。しかしながら、種々の実施形態はこのような具体的な詳細事項がなくとも実施できる点は当業者であれば理解されるであろう。
【００３２】
本発明の例示的な実施形態の特徴及び要素は、特定の組み合わせで実施形態において説明したが、各特徴又は要素は、実施形態の他の特徴及び要素を伴わず単独で、或いは本明細書で開示される他の特徴及び要素の有無に関わりなく種々の組み合わせで用いることができる。
【００３３】
本明細書は、開示される主題の実施例を用いて、あらゆる当業者があらゆるデバイス又はシステムを実施及び利用すること及びあらゆる包含の方法を実施することを含む本発明を実施することを可能にする。本発明の特許保護される範囲は、請求項によって定義され、当業者であれば想起される他の実施例を含むことができる。このような他の実施例は、請求項の範囲内にあるものとする。
【符号の説明】
【００３４】
３８  第１の入口ダクト
５０  第２の入口ダクト
６２  ロータ
６４  ドラム
８２  バランスドラム
９０  バランスライン
【図１】
0005868020.tif 000002
【図２】
0005868020.tif 000003
【図３】
0005868020.tif 000004
【図４】
0005868020.tif 000005
【図５】
0005868020.tif 000006
【図６】
0005868020.tif 000007
【図７】
0005868020.tif 000008
【図８】
0005868020.tif 000009
【図９（ａ）】
0005868020.tif 000010
【図９（ｂ）】
0005868020.tif 000011